(57)【要約】【課題】データ用チャネルのチャネル推定の精度を向上させる。【解決手段】移動通信端末(10)は、制御用チャネルにおける受信信号を復調して制御用の復調信号を生成する第１の復調部(202)と、前記制御用の復調信号のシンボルを位相について正規化して、前記制御用の復調信号の正規化されたシンボルを生成するシンボル正規化部(220)と、前記正規化されたシンボルに基づいて第１のチャネル推定値を生成し、パイロット信号(CPICH)のシンボルに基づいて第２のチャネル推定値を生成し、前記第１のチャネル推定値と前記第２のチャネル推定値を合成して第３のチャネル推定値を生成し、前記第３のチャネル推定値を用いてデータ用チャネルにおける受信信号を復調してデータ用の復調信号を生成する第２の復調部(212)と、を含んでいる。【選択図】図２
2014229967.tif 000002
【特許請求の範囲】
【請求項１】
制御用チャネルにおける受信信号を復調して制御用の復調信号を生成する第１の復調部と、
前記制御用の復調信号のシンボルを位相について正規化して、前記制御用の復調信号の正規化されたシンボルを生成するシンボル正規化部と、
前記正規化されたシンボルに基づいて第１のチャネル推定値を生成し、パイロット信号のシンボルに基づいて第２のチャネル推定値を生成し、前記第１のチャネル推定値と前記第２のチャネル推定値を合成して第３のチャネル推定値を生成し、前記第３のチャネル推定値を用いてデータ用チャネルにおける受信信号を復調してデータ用の復調信号を生成する第２の復調部と、
を含む移動通信端末。
【請求項２】
前記シンボル正規化部は、前記制御用の復調信号を復号して生成された制御用の復号データを用いて、前記制御用の復調信号のシンボルを位相について正規化するものであることを特徴とする、請求項１に記載の移動通信端末。
【請求項３】
前記第２の復調部は、前記制御用の復調信号を復号して生成された制御用の復号データの誤り検査結果が良好な場合に前記第１のチャネル推定値と前記第２のチャネル推定値を合成し、前記誤り検査結果が良好でない場合には前記第２のチャネル推定値のみを用いて前記データ用チャネルにおける受信信号を復調するものであることを特徴とする、請求項１または２に記載の移動通信端末。
【請求項４】
前記第２の復調部は、前記第１のチャネル推定値と前記第２のチャネル推定値の平均値を前記第３のチャネル推定値として求めるものであることを特徴とする、請求項１乃至３のいずれかに記載の移動通信端末。
【請求項５】
前記第２の復調部は、前記第３のチャネル推定値に基づいて検波された前記パイロット信号を含むチャネルの受信品質を表す情報を生成するものであることを特徴とする、請求項１乃至４のいずれかに記載の移動通信端末。
【請求項６】
制御用チャネルにおける受信信号を復調して制御用の復調信号を生成する第１の復調部と、
前記制御用の復調信号のシンボルを位相について正規化して、前記制御用の復調信号の正規化されたシンボルを生成するシンボル正規化部と、
前記正規化されたシンボルに基づいて第１のチャネル推定値を生成し、パイロット信号のシンボルに基づいて第２のチャネル推定値を生成し、前記第１のチャネル推定値と前記第２のチャネル推定値を合成して第３のチャネル推定値を生成し、前記第３のチャネル推定値を用いてデータ用チャネルにおける受信信号を復調してデータ用の復調信号を生成する第２の復調部と、
を含む信号処理装置。
【発明の詳細な説明】
【技術分野】
【０００１】
本発明は、移動体通信における受信信号の復調に関する。
【背景技術】
【０００２】
国際電気通信連合（ＩＴＵ）のＩＴＭ−ＤＳ規格には、例えばＷ−ＣＤＭＡ（Wideband Code Division Multiple Access）方式によるＨＳ−ＤＰＡ（High Speed Downlink Packet Access）方式が規定されている。ＨＳ−ＤＰＡ方式では、無線基地局から移動局への下り方向の共通チャネルとして、チャネルＨＳ−ＳＣＣＨ（High Speed-Shared Control Channel）およびＨＳ−ＰＤＳＣＨ（High Speed-Physical Downlink Shared Channel）が、使用される。チャネルＨＳ−ＰＤＳＣＨは、上位のトランスポート・チャネルＨＳ−ＤＳＣＨ（High-Speed Downlink Shared CHannel）にマッピングされる。
【０００３】
移動局では、通常、ＨＳ−ＳＣＣＨとＨＳ−ＤＳＣＨの双方のチャネルについて、別々に、受信信号の復調復号処理が行われる。それぞれの復調処理において、共通チャネル（Shared Channel）のチャネルＣＰＩＣＨ（Common PIlot Channel）を用いてチャネル推定が行われる。チャネルＣＰＩＣＨは、移動局において、例えば、チャネル推定、同一セル内における他の下り物理チャネルのタイミング基準として利用され、このチャネル上でパイロット信号が送信される。
【０００４】
ＨＳ−ＤＰＡ方式に対応した既知の移動局は、チャネルＣＰＩＣＨの受信品質を測定する第１測定部と、チャネルＨＳ−ＰＤＳＣＨの受信品質を測定する第２測定部と、を備えている。移動局は、さらに、受信環境に応じて、主に、第１測定部における測定結果を用いてＣＱＩ情報を生成するか、主に、第２測定部における測定結果を用いてＣＱＩ情報を生成するかを制御する制御部と、該ＣＱＩ情報を無線基地局に送信する送信部と、を備えている。
【０００５】
既知のＣＤＭＡ受信装置のチャネル推定方法では、Ｗ−ＣＤＭＡ受信装置のフィンガ部における物理チャネルに応じたチャネル推定を制御チャネル内のパイロット・シンボルおよびパイロット・シンボル以外の硬判定データを用いて求める。この場合、チャネル推定方法では、複数ビットの送信電力制御ビット（ＴＰＣビット）があるときは、ＴＰＣ合成・硬判定部にてそれらのＴＰＣビットを合成した後に硬判定を行う。それによって、チャネル推定精度が向上する。それによって、チャネル推定の精度の向上が図られ、受信特性の改善が可能なＷ−ＣＤＭＡ受信装置が提供される。
【０００６】
既知の受信機処理システムでは、２つ以上の拡散符号の相互相関および自己相関がゼロでないために発生する経路間干渉が抑圧される。その抑圧は、１本の伝送信号ストリームか、または複数のマルチパス成分の場合は複数本のこのような信号ストリームを推定し、この推定された信号を再拡散して、非直交の干渉の寄与を受信信号から減算することによって行われる。この技術は、ビット誤り率を向上させ、ディジタル移動通信ネットワークの容量を高める。それによって、特にＷ−ＣＤＭＡの３Ｇ移動通信システム内のユーザエンド端末において確認される干渉を低減するためのスペクトラム拡散受信機のアーキテクチャおよび方法が実現される。
【０００７】
既知の通信装置は、受信環境に基づいて伝送レートを切り替える送信装置に該受信環境に応じたパラメータを送信する。その通信装置は、過去に計算された受信品質を第１の受信品質として保存すると共にその第１の受信品質の計算に用いた過去のＣＰＩＣＨシンボルを保存する。その通信装置は、過去のＣＰＩＣＨシンボルを用いて得られた現在のチャネル推定値を用いて、保存されている過去のＣＰＩＣＨシンボルにチャネル補償を施す。その通信装置は、そのチャネル補償されたＣＰＩＣＨシンボルを用いて第２の受信品質を計算し、第２の受信品質と第1の受信品質との差を受信品質の補正値として受信品質を補正する。
【０００８】
既知の移動端末装置は、基地局装置から受信された複数の既知信号に基づいて第１のチャネルについて求められたチャネル推定値を用いて、第１のチャネルについてのチャネル補償処理を行うチャネル補償処理部を備える。移動端末装置は、さらに、そのチャネル補償後の第１のチャネルの復号結果がエラーの場合、少なくとも第１のチャネルの受信後に受信される既知信号を含む複数の既知信号に基づき第１のチャネルで求めたチャネル推定値により第１のチャネルで再度チャネル補償を行う再チャネル補償処理部を備える。それによって、ＨＳ−ＳＣＣＨ（第１のチャネル）のエラー率が低減され、ＨＡＲＱに基づく再送回数を削減して、移動機のスループットが改善される。
【先行技術文献】
【特許文献】
【０００９】
【特許文献１】特開２００６−４１６０７号公報
【特許文献２】特開２００３−１１０４６０号公報
【特許文献３】国際公開第２００３／０６３３７４号（特表２００５−５１６４６１号公報）
【特許文献４】国際公開第２００７／００４２９２号
【特許文献５】特開２００７−１８０９２５号公報
【発明の概要】
【発明が解決しようとする課題】
【００１０】
発明者たちは、移動体通信において、データ用のチャネルは、制御用のチャネルと比較して、拡散率が高いので、例えばマルチパスまたはフェージング等による振幅および位相の変動の影響を受けやすい、と認識した。発明者たちは、データ用のチャネルにおけるチャネル推定を、追加的に制御用のチャネルにおける検波後の復調データを用いて行うことによって、そのチャネル推定の精度を上げることができ、それによってデータ用のチャネルの復調がより良好に行える、と認識した。発明者たちは、それによって、移動局において、データ用のチャネルについて、復調性能が向上し、伝送誤りおよびデータ再送が減少し、実効的な伝送速度またはスループットが向上する、と認識した。
【００１１】
１つの観点では、本発明の目的は、データ用チャネルのチャネル推定の精度を向上させることである。
【課題を解決するための手段】
【００１２】
実施形態の一観点によれば、制御用チャネルにおける受信信号を復調して制御用の復調信号を生成する第１の復調部と、その制御用の復調信号のシンボルを位相について正規化して、その制御用の復調信号の正規化されたシンボルを生成するシンボル正規化部と、その正規化されたシンボルに基づいて第１のチャネル推定値を生成し、パイロット信号のシンボルに基づいて第２のチャネル推定値を生成し、その第１のチャネル推定値とその第２のチャネル推定値を合成して第３のチャネル推定値を生成し、その第３のチャネル推定値を用いてデータ用チャネルにおける受信信号を復調してデータ用の復調信号を生成する第２の復調部と、を含む移動通信端末、が提供される。
【発明の効果】
【００１３】
実施形態の一観点によれば、データ用チャネルのチャネル推定の精度を向上させることができる。
【図面の簡単な説明】
【００１４】
【図１】図１は、実施形態に用いられる移動通信端末のハードウェア構成（configuration）の例を示している。
【図２】図２は、Ｗ−ＣＤＭＡ方式による図１のベースバンド信号処理部の構成（configuration）の例を示している。
【図３】図３は、図２の受信処理部の構成（configuration）の例を示している。
【図４】図４は、３ＧＰＰで規定された送信ダイバーシティにおける、アンテナ１に対するアンテナ２のシンボルのパターンの例を示している。
【図５】図５Ａは、共通パイロット・チャネルＣＰＩＣＨのシンボルのＩＱ平面における正規の位置の例を示している。図５Ｂは、送信ダイバーシティ時の共通パイロット・チャネルＣＰＩＣＨのシンボルのＩＱ平面における正規の位置（コンスタレーション）の例を示している。図５Ｃは、チャネルＨＳ−ＳＣＣＨの復調データのシンボルのＩＱ平面における正規の位置の例を示している。
【図６】図６Ａは、妨害または干渉を受けた受信パイロットのシンボルのＩＱ平面上での位置の例を示している。図６Ｂは、妨害または干渉を受けたチャネルＨＳ−ＳＣＣＨの復調信号の複数のシンボルのＩＱ平面での位置の例を示している。
【図７】図７は、図６Ａの共通パイロット・チャネルＣＰＩＣＨのシンボルによるチャネル推定値と、図６Ｂの復調データの位相正規化されたシンボルによるチャネル推定値のＩＱ平面での各位置の例を示している。
【図８】図８は、移動通信端末のベースバンド信号処理部によって実行される、通常のパイロット・シンボルと追加的なシンボルの組合せから求めたチャネル推定値に基づくチャネルＨＳ−ＰＤＳＣＨの信号の復調および復号のための処理のフローチャートの例を示している。
【図９】図９は、通常のパイロット・シンボルと追加的なシンボルの組合せから求めたチャネル推定値に基づくチャネルＨＳ−ＰＤＳＣＨの信号の復調および復号のタイムチャートの例を示している。
【図１０】図１０は、図２の受信処理部におけるＣＱＩ情報生成の構成（configuration）の例を示している。
【図１１】図１１は、ＬＴＥ方式によるベースバンド信号処理部の構成（configuration）の別の例を示している。
【図１２】図１２は、図１１の受信処理部の構成（configuration）の例を示している。
【発明を実施するための形態】
【００１５】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解される。
【００１６】
本発明の非限定的な実施形態を、図面を参照して説明する。図面において、同様のコンポーネントおよび要素には同じ参照番号が付されている。
【００１７】
発明者たちは、例えばＷ−ＣＤＭＡ方式において、データ用のチャネルＨＳ−ＤＳＣＨは、制御用のチャネルＨＳ−ＳＣＣＨと比較して、拡散率が高いので、例えばマルチパスまたはフェージング等による振幅および位相の変動の影響を受けやすい、と認識した。発明者たちは、チャネルＨＳ−ＤＳＣＨに対するチャネル推定を、追加的にチャネルＨＳ−ＳＣＣＨにおける検波後の復調信号または復調データを用いて行うことによって、その精度を上げることができ、それによってチャネルＨＳ−ＤＳＣＨの復調処理または同期検波が良好に行える、と認識した。発明者たちは、それによって、移動局において、チャネルＨＳ−ＤＳＣＨについて、復調性能が向上し、伝送誤りおよびデータ再送が減少し、実効的な伝送速度またはスループットが向上する、と認識した。
【００１８】
実施形態の目的は、データ・チャネル復調のためのチャネル推定の精度を向上することである。
【００１９】
例えばＷ−ＣＤＭＡ方式によるＨＳ−ＤＰＡ方式では、無線基地局から移動局への下り方向（ダウンリンク）の共通チャネルとして、チャネルＨＳ−ＳＣＣＨおよびＨＳ−ＰＤＳＣＨが、使用される。チャネルＨＳ−ＰＤＳＣＨは、上位のトランスポート・チャネルＨＳ−ＤＳＣＨにマッピングされる。また、例えばＨＳ−ＤＰＡ方式では、上り方向（アップリンク）の共通チャネルとして、チャネルＨＳ−ＤＰＣＣＨ（High Speed-Dedicated Physical Control Channel）が使用される。チャネルＨＳ−ＳＣＣＨは、制御チャネルまたはレファレンス・チャネルであり、シグナリング情報またはチャネルＨＳ−ＰＤＳＣＨで伝送されるデータに関する各種パラメータを送信する制御チャネルである。そのパラメータには、例えば、変調方式（Modulation Scheme）情報、割当てる拡散符号（spreading code）の数（コード数）、送信前に施されるレート・マッチング（ＲＭ）処理のパターン、等の情報が含まれてもよい。
【００２０】
移動局では、通常、チャネルＨＳ−ＳＣＣＨとＨＳ−ＤＳＣＨの双方のチャネルについて、別々に、受信信号の復調復号処理が行われる。それぞれの復調処理において、共通チャネルのＣＰＩＣＨを用いてチャネル推定が行われる。チャネルＣＰＩＣＨは、移動局においてチャネル推定、セルサーチ、同一セル内における他の下り物理チャネルのタイミング基準として利用され、このチャネル上でパイロット信号が送信される。
【００２１】
チャネルＨＳ−ＤＰＣＣＨは、移動局が測定した無線基地局からの受信信号の受信品質情報（例えばＳＩＲ）をＣＱＩ情報（Channel Quality Indicator：チャネル品質指標）として無線基地局に送信するのにも用いられる。無線基地局は、受信したＣＱＩ情報に応じて下り方向の送信形式を変更し、ＣＱＩ情報が下り方向の無線環境が良好であることを示す場合は、より高速の変調方式に送信形式を切り替え、逆にＣＱＩ情報が下り方向の無線環境が良好でないことを示す場合は、より低速の変調方式に送信形式を切りかえることができる。Ｗ−ＣＤＭＡ方式では、符号分割多重方式により各チャネルは符号によって分離される。
【００２２】
チャネルＣＰＩＣＨは他のチャネルの基準として用いられ、チャネルＰ−ＣＣＰＣＨおよびＨＳ−ＳＣＣＨのフレームの先頭はＣＰＩＣＨのフレームの先頭と一致する。
【００２３】
また、チャネルＨＳ−ＳＣＣＨおよびＨＳ−ＰＤＳＣＨは、３スロットで１サブフレームを形成する。移動局は、チャネルＨＳ−ＳＣＣＨの信号を毎サブフレームの形態で受信し、自己宛てのデータ送信があるかどうかチェックし、自己宛てのデータ送信がある場合には、チャネルＨＳ−ＰＤＳＣＨの信号を受信および復号する。
【００２４】
チャネルＨＳ−ＤＰＣＣＨは、チャネルＨＳ−ＰＤＳＣＨの信号の受信から約７．５スロット経過後に、受信確認のための応答信号であるＡＣＫ／ＮＡＣＫ信号を移動局から無線基地局に送信するための用いるスロットを含んでいる。また、チャネルＨＳ−ＤＰＣＣＨは、適応変調制御のためのＣＱＩ情報を定期的に無線基地局にフィードバック送信するのにも用いられる。
【００２５】
図１は、実施形態に用いられる移動通信端末１０のハードウェア構成（configuration）の例を示している。
【００２６】
図１において、移動通信端末１０は、例えば、携帯電話機、スマートフォン、またはタブレット型の情報処理端末であってもよい。移動通信端末１０は、例えば、アンテナ（ＡＮＴ）１２、無線（ＲＦ）回路１４、通信処理部または信号処理装置１６、アプリケーション処理部１８、記憶部１６８、音響部２２、入力部２４、電力制御部３０、周辺回路部３２、および表示部３４を含んでいてもよい。アンテナ１２は無線回路１４に結合されている。無線回路１４は通信処理部１６に結合されている。通信処理部１６は、通信制御部１６２およびベースバンド信号処理部１６４を含んでいる。通信制御部１６２は、例えば、通信用のＣＰＵ（Central Processing Unit）であってもよい。通信処理部１６は、アプリケーション処理部１８に結合されている。
【００２７】
記憶部１６８は、通信処理部１６およびアプリケーション処理部１８に結合されている。通信処理部１６およびアプリケーション処理部１８は、電力制御部３０に結合されて、電力制御部３０によって電力制御されてもよい。周辺回路部３２は、アプリケーション処理部１８に結合されている。周辺回路部３２は、例えば、音響部２２、入力部２４および表示部３４に結合されていてもよい。音響部２２は、例えば、マイクロホン、レシーバおよびスピーカを含んでいてもよい。入力部２４は、例えば、テンキーを含むキーボード、ポインティング・デバイス、および／またはタッチパネルを含んでいてもよい。表示部３４は、例えば、液晶表示装置、またはタッチパネル付き液晶表示装置であってもよい。
【００２８】
図２は、Ｗ−ＣＤＭＡ方式による図１のベースバンド信号処理部１６４の構成（configuration）の例を示している。
【００２９】
ベースバンド信号処理部１６４は、受信処理部２００、ＨＳ−ＤＳＣＨ受信制御部２３０、ＨＳ−ＤＰＣＣＨ送信制御部２９０、および送信処理部３００を含んでいる。受信処理部２００は、無線回路部１４の無線受信部１４２に結合されている。送信処理部３００は、無線回路部１４の無線送信部１４４に結合されている。
【００３０】
受信処理部２００は、通常のものと同様に、ＨＳ−ＳＣＣＨ復調部２０２、ＨＳ−ＳＣＣＨ復号部２０４、ＨＳ−ＤＳＣＨ復調部２１２、およびＨＳ−ＤＳＣＨ復号部２１４を含んでいる。ＨＳ−ＤＳＣＨ受信制御部２３０は、ＨＳ−ＳＣＣＨ復号部２０４、ＨＳ−ＤＳＣＨ復調部２１２、およびＨＳ−ＤＳＣＨ復号部２１４に結合されている。ＨＳ−ＤＳＣＨ復号部２１４は、ＨＳ−ＤＰＣＣＨ送信制御部２９０およびアプリケーション処理部１８に結合されている。この実施形態では、受信処理部２００は、さらにシンボル正規化部２２０を含んでいる。シンボル正規化部２２０は、ＨＳ−ＳＣＣＨ復調部２０２、ＨＳ−ＳＣＣＨ復号部２０４およびＨＳ−ＤＳＣＨ復調部２１２に結合されている。
【００３１】
図３は、図２の受信処理部２００の構成（configuration）の例を示している。
【００３２】
ＨＳ−ＳＣＣＨ復調部２０２は、ＣＰＩＣＨ逆拡散部２０２２、チャネル推定部２０２４、ＨＳ−ＳＣＣＨ逆拡散部２０２６、および同期検波部２０２８を含んでいる。無線受信部１４２の出力が、ＣＰＩＣＨ逆拡散部２０２２およびＨＳ−ＳＣＣＨ逆拡散部２０２６の入力にそれぞれ結合される。ＣＰＩＣＨ逆拡散部２０２２の出力がチャネル推定部２０２４の入力に結合され、チャネル推定部２０２４およびＨＳ−ＳＣＣＨ逆拡散部２０２６の出力が同期検波部２０２８の入力に結合される。
【００３３】
ＨＳ−ＳＣＣＨ復号部２０４は、逆レート・マチング（Ｄｅ−ＲＭ）部２０４２、ビタビ復号部２０４４およびＣＲＣチェック部２０４６を含んでいる。同期検波部２０２８の出力が逆レート・マチング部２０４２の入力に結合され、逆レート・マチング部２０４２の出力がビタビ復号部２０４４の入力に結合され、ビタビ復号部２０４４の出力がＣＲＣチェック部２０４６の入力に結合される。ＣＲＣチェック部２０４６は、誤り検査であるＣＲＣ（Cyclic Redundancy Check：巡回冗長検査）のチェック結果を出力する。ＣＲＣチェック部２０４６の出力が、ＨＳ−ＤＳＣＨ受信制御部２３０の入力に結合される。
【００３４】
シンボル正規化部２２０は、バッファ（ＢＦ）部２２０２、レート・マチング（ＲＭ）部２２０４およびシンボル位相正規化部２２０６を含んでいる。同期検波部２０２８の出力がバッファ（ＢＦ）部２２０２の入力にも結合され、ビタビ復号部２０４４の出力がレート・マチング部２２０４の入力にも結合される。レート・マチング（ＲＭ）部２２０４の出力がバッファ（ＢＦ）部２２０２に結合される。バッファ部２２０２の出力がシンボル位相正規化部２２０６の入力に結合される。ＣＲＣチェック部２０４６の出力が、シンボル位相正規化部２２０６の制御入力にも結合される。ＣＲＣチェック部２０４６の出力は、誤り検査であるＣＲＣのチェック結果が良好（ＯＫ）の場合にシンボル位相正規化部２２０６をオン状態または動作状態にし、ＣＲＣチェック結果が不良（ＮＧ）の場合にシンボル位相正規化部２２０６をオフ状態または不動作状態してもよい。
【００３５】
ＨＳ−ＤＳＣＨ復調部２１２は、ＣＰＩＣＨ逆拡散部２１２２、チャネル推定部２１２４、相関行列生成部２１２６、等化（ＥＱＬ）係数生成部２１２８、等化器（ＥＱＬ）部２１３０、ＳＣＨキャンセル部２１３２、ＨＳ−ＰＤＳＣＨ逆拡散部２１３４およびブロック分離部２１３６を含んでいる。無線受信部１４２の出力が、ＣＰＩＣＨ逆拡散部２１２２、相関行列生成部２１２６および等化器部２１３０の入力にそれぞれ結合される。ＣＰＩＣＨ逆拡散部２１２２およびシンボル位相正規化部２２０６の各出力がチャネル推定部２１２４の各入力に結合される。
【００３６】
チャネル推定部２１２４は、ＣＰＩＣＨ逆拡散部２１２２およびシンボル位相正規化部２２０６からのそれぞれのシンボルについて２つのチャネル推定値を算出し、さらにそれらの合成されたまたは平均のチャネル推定値を算出する。チャネル推定部２１２４の出力が等化係数生成部２１２８の一方の入力に結合される。
【００３７】
相関行列生成部２１２６の出力が等化係数生成部２１２８の別の入力に結合される。等化係数生成部２１２８の出力が等化器部２１３０の係数入力に結合される。等化器部２１３０の出力がＳＣＨキャンセル部２１３２に結合される。ＳＣＨキャンセル部２１３２は、チャネルＨＳ−ＤＳＣＨの信号におけるＳＣＨ（同期信号）をキャンセルする。ＳＣＨキャンセル部２１３２の出力がＨＳ−ＰＤＳＣＨ逆拡散部２１３４の入力に結合され、ＨＳ−ＰＤＳＣＨ逆拡散部２１３４の出力がブロック分離部２１３６の入力に結合される。
【００３８】
ＨＳ−ＤＳＣＨ復号部２１４は、復号部２１４２およびＣＲＣチェック部２１４８を含んでいる。ブロック分離部２１３６の出力が復号部２１４２の入力に結合され、復号部２１４２の出力がＣＲＣチェック部２１４８の入力に結合される。ＣＲＣチェック部２１４８の出力が、ＨＳ−ＤＰＣＣＨ送信制御部２９０およびアプリケーション処理部１８の入力にそれぞれ結合される。
【００３９】
次に、受信処理部２００の動作を説明する。Ｗ−ＣＤＭＡ方式では、制御チャネルとしてチャネルＨＳ−ＳＣＣＨが使用され、データ・チャネルとしてチャネルＨＳ−ＤＳＣＨが使用される。
【００４０】
ＨＳ−ＳＣＣＨ復調部２０２はチャネルＨＳ−ＳＣＣＨの信号の復調を行う。チャネルＨＳ−ＳＣＣＨの信号は、例えば４位相変位変調（ＱＰＳＫ）方式で変調されている。ＨＳ−ＳＣＣＨ復号部２０４は、チャネルＨＳ−ＳＣＣＨの信号のビタビ復号を行う。ＨＳ−ＤＳＣＨ受信制御部２３０は、チャネルＨＳ−ＳＣＣＨの信号の受信結果に応じてチャネルＨＳ−ＤＳＣＨの信号を受信するかまたはしないかを判断する。
【００４１】
ＨＳ−ＤＳＣＨ復調部２１２は、チャネルＨＳ−ＰＤＳＣＨの信号の復調を行う。チャネルＨＳ−ＰＤＳＣＨの信号は、例えば４位相変位変調（ＱＰＳＫ）または直角位相振幅変調（ＱＡＭ）方式で変調されている。ＨＳ−ＤＳＣＨ復調部２１２は、チャネル推定値および相関行列から等化係数を算出し、等化器部２１３０で信号を等化することにより同期検波を行う。ＳＣＨキャンセル部２１３２は、同期信号（ＳＣＨ）をキャンセルしまたは低減させ、その後で、ＨＳ−ＰＤＳＣＨ逆拡散部２１３４はチャネルＨＳ−ＰＤＳＣＨの信号の逆拡散を行い、ブロック分離部２１３６は復調信号をブロック単位に分離する。ＨＳ−ＤＳＣＨ復号部２１４は、チャネルＨＳ−ＤＳＣＨの信号の復号（ターボ復号）を行う。ＨＳ−ＤＳＣＨ復号部２１４は、生成されたＨＳ−ＤＳＣＨ復号データを、ＣＲＣチェックして、チェック結果をＨＳ−ＤＰＣＣＨ送信制御部２９０に供給する。チャネルＨＳ−ＤＳＣＨの復号データは、上位のレイヤ２処理部を含むアプリケーション処理部１８へ供給される。
【００４２】
また、ＨＳ−ＤＰＣＣＨ送信制御部２９０は、チャネルＨＳ−ＤＳＣＨの信号のＣＲＣチェック結果をアップリンクの送信処理部に供給してアップリンクで送信する。ＣＲＣチェック結果は、移動体通信の無線基地局のＨＳ−ＰＤＳＨ送信制御部（図示せず）に供給される。
【００４３】
通常、チャネルＨＳ−ＳＣＣＨおよびチャネルＨＳ−ＤＳＣＨにおいて、それぞれ別々に復調および復号が行われ、復調で使用されるチャネル推定値の決定に共通チャネルＣＰＩＣＨだけが使用される。共通チャネルＣＰＩＣＨは、４位相変位変調（ＱＰＳＫ）方式で変調された基本的に値“００”のみを有する。
【００４４】
一方、シンボル正規化部２２０は、チャネルＨＳ−ＳＣＣＨの復調信号の複数のシンボルに対してシンボル位相正規化またはパイロット・キャンセルを行い、その位相正規化された複数のシンボル（ＩＱ座標）を生成する。シンボル位相正規化またはパイロット・キャンセルは、４つの象限の受信信号の全シンボルのＩＱ座標またはその位相を、“００”以外の象限のシンボルを角度−π／２、−πまたは−３π／２だけ回転させまたは移相することによって、“００”象限または第１象限のＩＱ座標に正規化、マッピングまたは集めることを表す。チャネル推定部２１２４は、チャネルＨＳ−ＤＳＣＨ用のチャネルＣＰＩＣＨのチャネル推定値の生成に加えて、チャネルＨＳ−ＳＣＣＨの信号から得られた位相正規化されたシンボルに基づいて別のチャネル推定値を生成する。チャネル推定部２１２４は、２つのチャネル推定値を合成して、合成されたまたは平均のチャネル推定値を生成する。逆拡散部２１３４は、その合成された推定値に基づいて等化器部２１３０で等化されＳＣＨキャンセル部２１３２で同期信号キャンセルされた信号に対して、逆拡散による復号を行う。
【００４５】
図４は、３ＧＰＰで規定された送信ダイバーシティにおける、アンテナ１に対するアンテナ２のシンボルのパターンの例を示している。
【００４６】
図５Ａは、共通パイロット・チャネルＣＰＩＣＨのシンボルのＩＱ平面における正規の位置Ｒの例を示している。チャネルＣＰＩＣＨのシンボルは、常にパターン“００”を有し、ＩＱ平面またはＩＱ軸において“００”象限の正規の位置Ｒ（２−１／２Ａ，２−１／２Ａ）に位置する。ここで、Ａは振幅を表す。
【００４７】
図５Ｂは、送信ダイバーシティ時の共通パイロット・チャネルＣＰＩＣＨのシンボルのＩＱ平面における正規の位置（コンスタレーション）Ｒ、Ｒ’の例を示している。ＣＰＩＣＨのシンボルは、パターン“００”と“１１”を有し、ＩＱ平面において“００”象限の正規の位置Ｒ（２−１／２Ａ，２−１／２Ａ）と、“１１”象限（第３象限）の正規の位置Ｒ’（−２−１／２Ａ，−２−１／２Ａ）とに位置する。
【００４８】
シンボル位相正規化またはパイロット・キャンセルは、“００”象限以外の“０１”象限（第４象限）、“１０”象限（第２象限）、“１１”象限（第３象限）にあるシンボルを“００”象限（第１象限）に回転または集める処理である。従って、図５Ｂの場合、“１１”象限にある位置Ｒ’（−２−１／２Ａ，−２−１／２Ａ）が、“００”象限の位置Ｒ（２−１／２Ａ，２−１／２Ａ）に、−πだけ回転されまたはマッピングされる。
【００４９】
図５Ｃは、チャネルＨＳ−ＳＣＣＨの復調信号またはデータのシンボルのＩＱ平面における正規の位置の例を示している。この場合、チャネルＨＳ−ＳＣＣＨのシンボルは、パターン“００” 、“０１”、“１０”または“１１”を有する。即ち、チャネルＨＳ−ＳＣＣＨのシンボルは、ＩＱ平面において“００”象限の正規の位置Ｒ（２−１／２Ａ，２−１／２Ａ）、“０１”象限の正規の位置（２−１／２Ａ，−２−１／２Ａ）、“１０”象限の正規の位置（−２−１／２Ａ，２−１／２Ａ）、または“１１”象限の正規の位置Ｒ’（−２−１／２Ａ，−２−１／２Ａ）を有する。
【００５０】
従って、シンボル位相正規化部２２０６では、図５Ｃの場合、“０１”象限にあるシンボルの位置（−２−１／２Ａ，−２−１／２Ａ）が“００”象限の位置（２−１／２Ａ，２−１／２Ａ）に−３／２πだけ回転される。また、“１０”象限にあるシンボルの位置（−２−１／２Ａ，２−１／２Ａ）が“００”象限の位置（２−１／２Ａ，２−１／２Ａ）に−π／２だけ回転される。また、“１１”象限にあるシンボルの位置（−２１／２Ａ，−２−１／２Ａ）が“００”象限の位置（２−１／２Ａ，２−１／２Ａ）に−πだけ回転される。
【００５１】
図６Ａは、妨害または干渉を受けた受信パイロットのシンボルのＩＱ平面上での位置の例を示している。実際の共通パイロット・チャネルＣＰＩＣＨのシンボルは、例えばマルチパスまたはフェージング等の妨害または干渉による振幅および位相の変動の影響を受けて、ＩＱ平面上で、正規の位置Ｒから分散または変動した位置を有する。図６Ａにおいて、正規の位置Ｒが点線の○で示され、各パイロット・シンボルの位置が×で示されている。その複数のパイロット・シンボルに対するそのチャネル推定値ＣＥ＿Ｐの位置が、太線の○で示されている。
【００５２】
通常、ＩＱ平面上でのチャネル推定値ＣＥ＿Ｐの求める場合、ＩＱ平面上における或る時間期間における一連の複数のシンボルの平均の位置を、チャネル推定値として求める。その推定値の正規の位置Ｒからの距離に基づいて、復調信号のシンボルの位置を正規の位置Ｒまたはその付近になるように修正することができ、それによって、復調信号の信頼性を高くすることができる。
【００５３】
発明者たちは、データ用のチャネルは、制御用のチャネルと比較して、拡散率が高いので、例えばマルチパスまたはフェージング等による振幅および位相の変動の影響を受けやすい、と認識した。また、発明者たちは、制御チャネルの信号から生成されたチャネル推定値を、共通チャネルで生成されるチャネル推定値と合成することによって、チャネル補償に用いられるチャネル推定値の精度を上げることができる、と認識した。発明者たちは、その合成されたチャネル推定値を用いて、データ用のチャネルにおける、復調性能または復調信号の信頼性を向上させ、その結果としてスループット特性を向上させることができる、と認識した。
【００５４】
図６Ｂは、妨害または干渉を受けたチャネルＨＳ−ＳＣＣＨの復調信号の複数のシンボルのＩＱ平面での位置の例を示している。図６Ｂにおいて、復調信号の各シンボルの位置は×で示されている。
【００５５】
図７は、図６Ａの共通パイロット・チャネルＣＰＩＣＨのシンボルによるチャネル推定値ＣＥ＿Ｐと、図６Ｂの復調データの位相正規化されたシンボルによるチャネル推定値ＣＥ＿ＳＣのＩＱ平面での各位置の例を示している。
【００５６】
図２および３のシンボル正規化部２２０において、ＩＱ平面上で“１０”、“００”および“１１”象限にあるシンボルの位置が、それぞれ−π／２、−πおよび−３π／２だけ回転されて、図６Ｂに示されているように全てのシンボルが“０１”象限の位置として正規化される。図６Ｂにおいて、そのシンボルによるチャネル推定値ＣＥ＿ＳＣの位置が、○で示されている。ＨＳ−ＤＳＣＨ復調部２１２のチャネル推定部２１２４において、図７に示されているように、ＣＰＩＰ逆拡散部２１２２からの図６Ａのシンボルのチャネル推定値ＣＥ＿Ｐと、シンボル正規化部２２０からの図６ＢのチャネルＨＳ−ＳＣＣＨの信号のチャネル推定値ＣＥ＿ＳＣとが合成されて、合成されたまたは平均のチャネル推定値ＣＥ＿ＡＶが生成される。合成されたチャネル推定値ＣＥ＿ＡＶは、２つのチャネル推定値の単純平均であっても、またはシンボル数に応じたそれぞれのチャネル推定値の加重平均であってもよい。
【００５７】
ＩＱ平面におけるその合成されたチャネル推定値ＣＥ＿ＡＶの正規の位置Ｒからの距離または偏差に基づいて、チャネルＨＳ−ＤＳＣＨの復調信号を補償または修正することができ、それによって、復調信号および復号データの信頼性が高くなる。
【００５８】
次に、シンボル正規化部２２０における動作をより具体的に説明する。
同期検波部２０２８で生成された制御チャネルＨＳ−ＳＣＣＨの復調信号の一連のシンボルのデータが、バッファ部２２０２に保持される。
【００５９】
一方、ビタビ復号部２０４４で生成された復号データに対して、レート・マッチング部２２０４で、再びレート・マッチング（ＲＭ）処理が行われて、復号データが、復調信号のデータと同じデータ列および同じデータ数に戻される。ＣＲＣチェック部２０４６からの制御チャネルＨＳ−ＳＣＣＨのＣＲＣチェック結果が良好（ＯＫ）である場合、チャネル推定部２１２４が制御チャネルＨＳ−ＳＣＣＨからの復号データを用いてチャネル推定値を行うように、シンボル位相正規化部２２０６がオン制御される。
【００６０】
シンボル位相正規化部２２０６において、バッファ部２２０２に保持されている復調データと、レート・マッチングで生成された復号データとに基づいて、復調データに対してシンボル位相正規化処理が行われる。それによって、復調信号の全てのシンボルがＩＱ平面上で同じ“００”象限の位置に正規化される。チャネル推定部２１２４は、その位相正規化された復調信号のシンボルのチャネル推定値ＣＥ＿ＳＣを求め、ＣＰＩＣＨ逆拡散部２１２２からの通常のパイロットのシンボルのチャネル推定値ＣＥ＿Ｐを求め、チャネル推定値ＣＥ＿ＳＣとＣＥ＿Ｐを合成して、合成されたまたは平均のチャネル推定値ＣＥ＿ＡＶを求める。
【００６１】
このようにして、チャネル推定部２１２４によって生成されるチャネル推定値の精度を上げることができる。
【００６２】
また、ＣＲＣチェック部２０４６からの制御チャネルＨＳ−ＳＣＣＨのＣＲＣチェック結果が不良（ＮＧ）の場合、チャネル推定部２１２４が制御チャネルＨＳ−ＳＣＣＨからの復号データを用いてチャネル推定値を行わないように、シンボル位相正規化部２２０６がオフ制御される。それによって、チャネル推定部２１２４によって生成されるチャネル推定値の精度を通常のチャネル推定値の精度に維持することもできる。
【００６３】
図８は、移動通信端末１０のベースバンド信号処理部１６４によって実行される、通常のパイロット・シンボルと追加的なシンボルの組合せから求めたチャネル推定値に基づくチャネルＨＳ−ＰＤＳＣＨの信号の復調および復号のための処理のフローチャートの例を示している。
【００６４】
図８を参照すると、ステップ４００において、ベースバンド信号処理部１６４は、通常の形態で、チャネルＨＳ−ＳＣＣＨについて、ＨＳ−ＳＣＣＨ復調部２０２によって、信号の前半部分を復調し、ＨＳ−ＳＣＣＨ復号部２０４によって信号の前半部分を復号する。この場合、その前半部分はチャネルＨＳ−ＳＣＣＨの信号の１スロット分である。ステップ４０２において、ベースバンド信号処理部１６４は、さらに、通常の形態で、チャネルＨＳ−ＳＣＣＨについて、ＨＳ−ＳＣＣＨ復調部２０２によって信号の後半部分を復調し、ＨＳ−ＳＣＣＨ復号部２０４によって信号の後半部分を復号する。この場合、その後半部分は、チャネルＨＳ−ＳＣＣＨの前半部分の後続の信号の２スロット分である。
【００６５】
ステップ４０４において、ベースバンド信号処理部１６４は、ＨＳ−ＳＣＣＨ復号部２０４によって復号データのＣＲＣチェック結果が良好（ＯＫ）かどうかを判定する。ＣＲＣチェック結果が良好でない（ＮＧ）と判定された場合は、手順は図８のルーチンを出る。ＣＲＣチェック結果が良好である（ＯＫ）と判定された場合は、手順はステップ４０６に進む。
【００６６】
ステップ４０８において、ベースバンド信号処理部１６４は、通常の形態で、ＨＳ−ＤＳＣＨ復調部２１２によって、チャネルＨＳ−ＤＳＣＨについてチャネルＣＰＩＣＨの各パイロット・シンボルのＩＱ座標を求める。ステップ４０６において、ベースバンド信号処理部１６４は、シンボル正規化部２２０によって、チャネルＨＳ−ＳＣＣＨについて追加的な位相正規化済みの各シンボルのＩＱ座標を求める。
【００６７】
ステップ４１０において、ベースバンド信号処理部１６４は、ＨＳ−ＤＳＣＨ復調部２１２によって、チャネルＨＳ−ＤＳＣＨについてチャネルＣＰＩＣＨのパイロット・シンボルと、チャネルＨＳ−ＳＣＣＨの追加的な位相正規化済みの各シンボルとの組合せに関する、合成されたチャネル推定値ＣＥ＿ＡＶを求める。合成されたチャネル推定値ＣＥ＿ＡＶは、その組合せのシンボルに関する合成のＩＱ座標を表し、正規のシンボルの位置Ｒからの合成距離を示す。そのチャネル推定値ＣＥ＿ＡＶは、チャネルＣＰＩＣＨのパイロット・シンボルから得たチャネル推定値ＣＥ＿Ｐと、チャネルＨＳ−ＳＣＣＨの信号の位相正規化済みシンボルから得たチャネル推定値ＣＥ＿ＳＣとの和が、２で除算されて（÷２）得られた平均値（ＣＥ＿ＡＶ）であってもよい。
【００６８】
ステップ４１２において、ベースバンド信号処理部１６４は、ＨＳ−ＤＳＣＨ復調部２１２によって、合成されたチャネル推定値ＣＥ＿ＡＶを用いてチャネルＨＳ−ＰＤＳＣＨの信号を復調する。
【００６９】
ステップ４１４において、ベースバンド信号処理部１６４は、ＨＳ−ＤＳＣＨ復号部２１４によって、チャネルＨＳ−ＰＤＳＣＨの復調信号に復号処理を行って、復号データを生成する。
【００７０】
このようにして、改善された高い精度のチャネル推定値ＣＥ＿ＡＶに基づいて復調されて復号されたチャネルＨＳ−ＰＤＳＣＨのデータのＣＲＣチェック結果は、良好になる可能性または確率が高い。
【００７１】
図９は、通常のパイロット・シンボルと追加的なシンボルの組合せから求めたチャネル推定値に基づくチャネルＨＳ−ＰＤＳＣＨの信号の復調および復号のタイムチャートの例を示している。
【００７２】
図９において、スロットは、Ｗ−ＣＤＭＡによるＣＰＩＣＨのスロット順序番号を示している。
【００７３】
チャネルＣＰＩＣＨ、ＨＳ−ＳＣＣＨおよびＨＳ−ＤＳＣＨの各チャネルは、１フレーム（１０ｍｓ）に３×５＝１５個のスロットを含んでいる。チャネルＣＰＩＣＨは他のチャネルの基準として用いられ、チャネルＰ−ＣＣＰＣＨおよびＨＳ−ＳＣＣＨのフレームの先頭はチャネルＣＰＩＣＨのフレームの先頭と整列している。チャネルＨＳ−ＤＳＣＨまたはＨＳ−ＰＤＳＣＨのフレームの先頭は、チャネルＨＳ−ＳＣＣＨ等の先頭に対して２スロット分遅延している。それによって、移動局は、チャネルＨＳ−ＳＣＣＨを介して変調タイプ情報を受信した後で、その受信された変調タイプに対応する復調方式でチャネルＨＳ−ＰＤＳＣＨの復調を行うことができる。また、チャネルＨＳ−ＳＣＣＨおよびＨＳ−ＰＤＳＣＨの各チャネルは、３スロットで１サブフレームを形成する。
【００７４】
チャネルＨＳ−ＳＣＣＨの処理として、チャネル推定部２０２４は、チャネルＣＰＩＣＨに基づいてチャネルＨＳ−ＳＣＣＨ用のチャネル推定値を生成する。同期検波部２０２８は、そのチャネル推定値に基づいて受信シンボルのＩＱ座標を修正してチャネルＨＳ−ＳＣＣＨの信号を復調する。ビタビ復号部２０４４はその復調された信号の前半部分を復号して復号データを生成し、次いで、その復調された信号の後半部分を復号して復号データを生成する。ＣＲＣチェック部２０４６は、その前半部分の復号データと後半部分の復号データのＣＲＣチェックを行ってそのＣＲＣチェック結果を生成する。それらのＣＲＣチェック結果が良好（ＯＫ）であれば、シンボル正規化部２２０は、ＨＳ−ＳＣＣＨ信号のシンボルに対して位相正規化を行い、位相正規化済みの全てのシンボルのＩＱ座標をチャネル推定部２１２４に供給する。
【００７５】
チャネル推定部２１２は、シンボル正規化部２２０からの位相正規化済みのシンボルに対してチャネル推定を行ってチャネル推定値ＣＥ＿ＳＣを生成する。また、チャネル推定部２１２は、チャネルＣＰＩＣＨに基づいてチャネルＨＳ−ＤＳＣＨ用のチャネル推定値ＣＥ＿Ｐを生成する。次いで、チャネル推定部２１２は、２つのチャネル推定値ＣＥ＿ＰおよびＣＥ＿ＳＣを合成して、合成されたチャネル推定値ＣＥ＿ＡＶを生成する。その合成は、単純な平均化処理であっても、シンボル数に応じた重み付けされた平均処理であってもよい。
【００７６】
相関行列生成部２１２６は、チャネルＨＳ−ＤＳＣＨの信号の相関行列を生成する。等化係数生成部２１２８は、そのチャネル推定値に基づいて相関行列を処理して等化係数を求め、等化器２１３０は、その等化係数に基づいてＨＳ−ＤＳＣＨの信号を等化する。ＳＣＨキャンセル部２１３２は、その等化された信号についてＳＣＨ（同期信号）をキャンセルする。ＨＳ−ＰＤＳＣＨ逆拡散部２１３は、そのキャンセル済みの信号を逆拡散する。ブロック分離部２１３６は、逆拡散された信号をブロックに分離する。それによって、ＨＳ−ＤＳＣＨの信号が復調される。復号部２１４２は、その復調された信号を復号して復号データを生成する。そのために、復号部２１４２は、通常の既知の形態で、その復調信号に対して、インターリーブ解除（ＤＩＬ）、逆レート・マッチング（Ｄｅ−ＲＭ）、ＨＡＲＱ（Hybrid Automatic Repeat reQuest：ハイブリッド自動再送要求）合成、ターボ復号、およびデスクランブル（Ｄｅ−ｓｃｒａｍｂｌｅ）を行う。ＣＲＣチェック部２１４８は、その復号データのＣＲＣチェックを行う。
【００７７】
このようにして、改善された高い精度のチャネル推定値に基づいて復調され復号されたチャネルＨＳ−ＰＤＳＣＨのデータのＣＲＣチェック結果は、良好になる可能性または確率が高い。
【００７８】
一方、例えば３ＧＰＰ（Third Generation Partnership Project、第３世代パートナーシップ・プロジェクト）規格のような移動体通信規格は、例えばＬＴＥ（Long Term Evolution）規格をも含んでいる。
【００７９】
図１０は、図２の受信処理部２００におけるＣＱＩ情報生成の構成（configuration）の例を示している。
【００８０】
図１０において、ＨＳ−ＤＳＣＨ復調部２１２は、ＣＰＩＣＨ逆拡散部２１２２、チャネル推定部２１２４、相関行列生成部２１２６、等化係数生成部２１２８およびＳＣＨキャンセル部２１３２に加えて、検波部２１３１、ＳＩＲ測定部２１３７およびＣＱＩ生成部２１３９を含んでいる。ＣＰＩＣＨ逆拡散部２１２２および等化係数生成部２１２８の各出力が、検波部２１３１の各入力に結合される。検波部２１３１の出力がＳＣＨキャンセル部２１３２に結合される。ＳＣＨキャンセル部２１３２は、チャネルＨＳ−ＤＳＣＨの検波された信号におけるＳＣＨ（同期信号）をキャンセルする。ＳＣＨキャンセル部２１３２の出力がＳＩＲ測定部２１３７の入力に結合される。
【００８１】
ＳＩＲ測定部２１３７は、検波された信号の受信品質であるＳＩＲ（Signal to Interference Ratio：信号対干渉電力比）を測定する。ＳＩＲ測定部２１３７の出力がＣＱＩ生成部２１３９の入力に結合される。ＣＱＩ生成部２１３９は、ＳＩＲ測定値に基づいてＣＱＩ情報を演算し生成する。ＣＱＩ生成部２１３９の出力は、ＨＳ−ＤＰＣＣＨ送信制御部２９０の入力に結合される。ＨＳ−ＤＰＣＣＨ送信制御部２９０は、ＣＱＩ情報を無線基地局に送信する。従って、ＳＩＲ測定部２１３７は、チャネル推定部２１２４によって生成された高い精度のチャネル推定値を用いてチャネル補償され検波されたチャネルＣＰＩＣＨの信号のＳＩＲを測定する。従って、ＣＱＩ生成部２１３９は、高い精度のＳＩＲに対応する高い精度のＣＱＩ情報を生成する。従って、ＨＳ−ＤＰＣＣＨ送信制御部２９０は、高い精度のＣＱＩ情報を無線基地局に送信することができる。
【００８２】
図１の移動通信端末１０のハードウェア構成は、ＬＴＥ方式の移動体通信の移動局にも用いられる。
【００８３】
図１１は、ＬＴＥ方式による、ベースバンド信号処理部１６４の構成（configuration）の別の例を示している。
【００８４】
この場合、ベースバンド信号処理部１６４は、受信処理部７００、ＰＤＳＣＨ受信制御部２３０、ＰＤＳＣＨ送信制御部７９０、および送信処理部８００を含んでいる。受信処理部７００は、無線回路部１４の無線受信部６４２に結合されている。送信処理部８００は、無線回路部１４の無線送信部６４４に結合されている。
【００８５】
受信処理部７００は、通常のものと同様に、ＰＤＣＣＨ復調部７０２、ＰＤＣＣＨ復号部７０４、ＰＤＳＣＨ復調部７１２、およびＰＤＳＣＨ復号部７１４を含んでいる。ＰＤＳＣＨ受信制御部７３０は、ＰＤＣＨ復号部７０４、ＰＤＳＣＨ復調部７１２、およびＰＤＳＣＨ復号部７１４に結合されている。ＰＤＳＣＨ復号部７１４は、ＰＤＳＣＨ送信制御部７９０およびアプリケーション処理部１８に結合されている。この実施形態では、受信処理部７００は、さらにシンボル正規化部７２０を含んでいる。シンボル正規化部７２０は、ＰＤＣＣＨ復調部７０２、ＰＤＣＣＨ復号部７０４およびＰＤＳＣＨ復調部７１２に結合されている。
【００８６】
図１２は、図１１の受信処理部７００の構成（configuration）の例を示している。
【００８７】
ＰＤＣＣＨ復調部７０２は、ＦＦＴ（高速フーリエ変換）部７０２２、チャネル推定部７０２４、および検波部７０２８を含んでいる。無線受信部６４２の出力がＦＦＴ部７０２２の入力に結合される。ＦＦＴ部７０２２の出力がチャネル推定部７０２４の入力に結合される。ＦＦＴ部７０２２は、パイロット信号とも称される、復調用のレファレンス信号または参照もしくは基準信号を、チャネル推定部７０２４に供給する。ＦＦＴ部７０２２およびチャネル推定部７０２４の各出力が検波部７０２８の各入力に結合される。
【００８８】
ＰＤＣＣＨ復号部７０４は、逆レート・マチング（Ｄｅ−ＲＭ）部７０４２、ビタビ復号部７０４４およびＣＲＣチェック部７０４６を含んでいる。検波部７０２８の出力が逆レート・マチング部７０４２の入力に結合され、逆レート・マチング部７０４２の出力がビタビ復号部７０４４の入力に結合され、ビタビ復号部７０４４の出力がＣＲＣチェック部７０４６の入力に結合される。ＣＲＣチェック部７０４６の出力が、ＰＤＳＣＨ受信制御部７３０の入力に結合される。
【００８９】
シンボル正規化部７２０は、バッファ（ＢＦ）部７２０２、レート・マチング（ＲＭ）部７２０４およびシンボル位相正規化部７２０６を含んでいる。検波部７０２８の出力がバッファ（ＢＦ）部７２０２の入力にも結合され、ビタビ復号部７０４４の出力がレート・マチング部７２０４の入力にも結合される。レート・マチング（ＲＭ）部７２０４の出力がバッファ（ＢＦ）部７２０２に結合される。バッファ部７２０２の出力がシンボル位相正規化部７２０６の入力に結合される。ＣＲＣチェック部７０４６の出力は、シンボル位相正規化部７２０６の制御入力にも結合される。ＣＲＣチェック部７０４６の出力は、ＣＲＣチェック結果が良好（ＯＫ）の場合にシンボル位相正規化部７２０６をオン状態または動作状態にし、ＣＲＣチェック結果が不良（ＮＧ）の場合にシンボル位相正規化部７２０６をオフ状態または不動作状態してもよい。
【００９０】
ＰＤＳＣＨ復調部７１２は、ＦＦＴ部７１２２、チャネル推定部７１２４、および検波部７１２８を含んでいる。無線受信部６４２の出力がＦＦＴ部７１２２の入力に結合される。ＦＦＴ部７１２２の出力がチャネル推定部７１２４の入力に結合され、ＦＦＴ部７１２２およびチャネル推定部７１２４の出力が検波部７１２８の入力に結合される。ＦＦＴ部７１２２は、パイロット信号とも称される、復調用のレファレンス信号または参照もしくは基準信号を、チャネル推定部７１２４に供給する。チャネル推定部７１２４は、ＦＦＴ部７１２２からのレファレンス信号とシンボル位相正規化部７２０６からのそれぞれのシンボルについて２つのチャネル推定値ＣＥ＿ＰおよびＣＥ＿ＳＣを算出し、さらにその合成されたまたは平均のチャネル推定値ＣＥ＿ＡＶを算出する。ＦＦＴ部７１２２およびチャネル推定部７１２４の出力が検波部７１２８の入力に結合される。
【００９１】
ＰＤＳＣＨ復号部７１４は、復号部７１４２およびＣＲＣチェック部７１４８を含んでいる。検波部７１２８の出力が復号部７１４２の入力に結合され、復号部７１４２の出力がＣＲＣチェック部７１４８の入力に結合される。ＣＲＣチェック部７１４８の出力が、ＰＤＳＣＨ送信制御部７９０およびアプリケーション処理部１８の入力にそれぞれ結合される。
【００９２】
ＬＴＥ方式では、制御チャネルとしてチャネルＰＤＣＣＨが使用され、データ・チャネルとしてチャネルＰＤＳＣＨが使用される。
【００９３】
ＰＤＣＣＨ復調部７０２はチャネルＰＤＣＣＨの信号の復調を行う。ＰＤＣＣＨ復号部７０４は、チャネルＰＤＣＣＨの復調信号のビタビ復号を行う。
【００９４】
ＰＤＳＣＨ復調部７１２は、チャネルＰＤＳＣＨの信号の復調を行う。そのために、ＦＦＴ部７１２２は、チャネルＰＤＳＣＨの信号に対して高速フーリエ変換を行う。検波部７１２８は、フーリエ変換された信号をチャネル推定値ＣＥ＿ＡＶに基づいて検波を行う。復号部７１４は、チャネルＰＤＳＣＨの復調信号の復号を行う。ＰＤＳＣＨ復号部７１４は、生成された復号データを、ＣＲＣチェックして、チェック結果をＰＤＳＣＨ送信制御部７９０に供給する。また、チャネルＰＤＳＣＨの復号データは、上位のレイヤ２処理部を含むアプリケーション処理部１８にも供給される。
【００９５】
また、ＰＤＳＣＨ送信制御部７９０は、ＰＤＳＣＨ信号のＣＲＣチェック結果をアップリンクの送信処理部に供給してアップリンクで送信する。
【００９６】
通常、チャネルＰＤＣＣＨおよびチャネルＰＤＳＣＨにおいて、それぞれ別々に復調および復号が行われ、復調で使用されるチャネル推定値が決定される。
【００９７】
一方、シンボル正規化部７２０は、図３および６Ｂの場合と同様に、チャネルＰＤＣＣＨの信号復調された複数のシンボルに対してシンボル位相正規化を行い、位相正規化された複数のシンボル（ＩＱ座標）を生成する。チャネル推定部７１２４は、図３、６Ａ、６Ｂ、８および９の場合と同様に、チャネルＰＤＳＣＨにおけるレファレンス信号に基づくチャネル推定値の生成に加えて、チャネルＰＤＣＣＨの信号から得られた位相正規化されたシンボルに基づいて別のチャネル推定値を生成する。チャネル推定部７１２４は、図７〜９の場合と同様に、２つのチャネル推定値ＣＥ＿ＰおよびＣＥ＿ＳＣを合成して、合成されたまたは平均のチャネル推定値ＣＥ＿ＡＶを生成する。チャネルＰＳＤＣＨについて、検波部７１２８は、その合成された推定値ＣＥ＿ＡＶに基づいてＦＦＴ部７１２２からのフーリエ変換済みの信号の復調を行う。
【００９８】
このようにして、改善された高い精度のチャネル推定値ＣＥ＿ＡＶに基づいて復調されて復号されたチャネルＰＤＳＣＨのデータのＣＲＣチェック結果は、良好になる可能性または確率が高い。
【００９９】
このように、実施形態によれば、データ・チャネルにおける通常のチャネル推定値に加えて、制御用のチャネルの制御信号に対するチャネル推定値を用いることによって、データ・チャネルのチャネル推定の精度を向上させることができる。このようなチャネル推定は、上述のＷ−ＣＤＭＡ方式およびＬＴＥ方式だけでなく、例えばＨＳＰＡ方式およびＨＳＰＡ＋方式等の移動体通信においても、同様に適用することができ、同様にチャネル推定の精度を高くすることができる。それによって、移動局において、データ用のチャネルについて、復調性能が向上し、伝送誤りおよびデータ再送が減少し、実効的な伝送速度またはスループットが向上する。
【０１００】
ＨＳ−ＤＰＡ方式と同様に、ＬＴＥ方式においても、移動通信端末１０（ＷＴＲＵ）は、ダウンリンクのチャネルの信号のＣＱＩ（Channel Quality Index：チャネル品質インデックス）を測定して、無線基地局にＣＱＩ情報を、周期的にまたは非周期的に送信することができる。そのチャネルの信号は、上述のような合成されたチャネル推定ＣＥ＿ＡＶを用いてチャネル補償処理されたものとすることができる。従って、ＰＤＳＣＨ復調部７１２は、高い精度のＣＱＩ情報を生成することができる。従って、ＰＤＳＣＨ送信制御部７９０は、高い精度のＣＱＩ情報を無線基地局に送信することができる。
【０１０１】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない、と理解される。本発明の実施形態を詳細に説明したが、本発明の精神および範囲から逸脱することなく、それに対して種々の変更、置換および変形を施すことができる、と理解される。
【符号の説明】
【０１０２】
１０  移動通信端末
１２  アンテナ
１４  無線回路
１６  通信処理部
１６２  通信処理部
１６４  ベースバンド信号処理部
１６８  記憶部
１８  アプリケーション処理部
２００  受信処理部
２０２  ＨＳ−ＳＣＣＨ復調部
２０４  ＨＳ−ＳＣＣＨ復号部
２１２  ＨＳ−ＤＳＣＨ復調部
２１２４  チャネル推定部
２１４  ＨＳ−ＤＳＣＨ復号部
２２０  シンボル正規化部
２２０６  シンボル位相正規化部
２３０  ＨＳ−ＤＳＣＨ受信制御部
２９０  ＨＳ−ＤＰＣＣＨ送信制御部
３００  送信処理部
【図１】
2014229967.tif 000003
【図２】
2014229967.tif 000004
【図３】
2014229967.tif 000005
【図４】
2014229967.tif 000006
【図５】
2014229967.tif 000007
【図６】
2014229967.tif 000008
【図７】
2014229967.tif 000009
【図８】
2014229967.tif 000010
【図９】
2014229967.tif 000011
【図１０】
2014229967.tif 000012
【図１１】
2014229967.tif 000013
【図１２】
2014229967.tif 000014